(57)【要約】【課題】段ボール箱の蓋を閉止している粘着テープを簡単に剥がせる構造を提供する。【解決手段】一対の側面板の上縁に連設した蓋板と、一対の端面板の上縁に連設した蓋フラップとを重ね合わせて粘着テープにて閉止する段ボール箱において、少なくとも一方の端面板の中央上端部よりやや側面板側寄りに斜折目を備えた引板を設け、前記引板の前記斜折目に仕切られた部分を補助板とし、前記引板を基端折目に沿って外側に折り曲げると、前記補助板が前記粘着テープで圧迫されるのに伴って、前記斜折目が折れ曲がり、前記粘着テープの側縁が前記補助板と干渉しながら捲れるようにした。【選択図】図５
2006290360.tif 000002
【特許請求の範囲】
【請求項１】
一対の側面板の上縁に連設した蓋板と、一対の端面板の上縁に連設した蓋フラップとを重ね合わせて粘着テープにて閉止する段ボール箱において、少なくとも一方の端面板の中央上端部よりやや側面板側寄りに斜折目を備えた引板を設け、前記引板の前記斜折目に仕切られた部分を補助板とし、前記引板を基端折目に沿って外側に折り曲げると、前記補助板が前記粘着テープで圧迫されるのに伴って、前記斜折目が折れ曲がり、前記粘着テープの側縁が前記補助板と干渉しながら捲れるようにしたことを特徴とする段ボール箱の粘着テープ剥がし構造。
【請求項２】
前記引板の上縁に連設する前記蓋フラップに解除板を設けたことを特徴とする請求項１に記載の段ボール箱の粘着テープ剥がし構造。
【請求項３】
前記蓋板に前記解除板と重なる対応位置に押板を設けたことを特徴とする請求項１又は請求項２に記載の段ボール箱の粘着テープ剥がし構造。
【発明の詳細な説明】
【技術分野】
【０００１】
この発明は、段ボール箱の蓋を閉止している粘着テープを簡単に剥がせる構造に関するものである。
【背景技術】
【０００２】
従来より、輸送用などで使用される段ボール箱５０（０２０１型）は、図６に示すように、一対の側面板５１と一対の端面板５２の上下縁にフラップ５３を夫々連設し、前記フラップ５３を夫々重ね合わせ、中央に粘着テープ６０を貼り付け閉止している。前記のような段ボール箱５０を開封する方法として、粘着テープ６０の端部に爪を引っ掛け剥がしたり、粘着テープ６０の中央をカッターなどで切り込み開封している。
【０００３】
また、カッターなどを使用しないで開封する方法として、段ボール箱の端面に切込を設け、開封時に前記切込を段ボール箱の内側に押圧することで、粘着テープの端部を持ちやすくし、剥がしやすくしている。（例えば、特許文献１参照。）。
【特許文献１】特開２００３−７２７４８号公報
【発明の開示】
【発明が解決しようとする課題】
【０００４】
従来のように、カッターなどで粘着テープを切り込み開封する方法では、中身の商品に傷を付ける恐れがある。
【０００５】
また、上記のような端面に切込を設け、前記切込を押圧することにより粘着テープを剥がしやすくする方法では、前記切込を箱の内側に押圧しなければならないために、箱の中身がいっぱいに詰まっている場合に押圧することができずに簡単に開封することができない。
【０００６】
そこで、この発明は、段ボール箱の中身がいっぱいに詰まっている場合にも、カッターなどを使わず簡単に開封できる段ボール箱の粘着テープ剥がし構造を提供する事を課題とする。
【課題を解決するための手段】
【０００７】
以上の課題を解決するために、この発明は、一対の側面板の上縁に連設した蓋板と、一対の端面板の上縁に連設した蓋フラップとを重ね合わせて粘着テープにて閉止する段ボール箱において、少なくとも一方の端面板の中央上端部よりやや側面板側寄りに斜折目を備えた引板を設け、前記引板の前記斜折目に仕切られた部分を補助板とし、前記引板を基端折目に沿って外側に折り曲げると、前記補助板が前記粘着テープで圧迫されるのに伴って、前記斜折目が折れ曲がり、前記粘着テープの側縁が前記補助板と干渉しながら捲れるようにした。
【０００８】
また、前記引板の上縁に連設する蓋フラップに解除板を設けると、引板の上端部を指で摘む際に、解除板の上側に位置する蓋板の側縁部を押さえると解除板が内側に押圧されるので、引板の上端部が摘みやすくなる。
【０００９】
さらに、前記蓋板に前記解除板と重なる対応位置に押板を設けると、引板の上端部を指で摘む際に、解除板の上側に位置する蓋板の側縁部が押圧しやすく、より引板の上端部が摘みやすくなる。
【発明の効果】
【００１０】
このような段ボール箱の粘着テープ剥がし構造であれば、引板を外側に折り曲げるだけなので、箱の中身がいっぱいに詰まった場合においても、簡単に粘着テープを剥がすことができる。
【００１１】
また、蓋面に押板を設けることで、上面から見てすぐに開封箇所に気が付くことができる。
【００１２】
さらに、使用する段ボールシートの材料面積が従来のものと同じであり、製造時の加工も従来の木型に刃を部分的に追加するだけで行うことができるので、工程を変える必要がない。
【発明を実施するための最良の形態】
【００１３】
先ず、本発明の実施形態について図１乃至図５に基づいて説明する。図１は、この発明に係る段ボール箱の粘着テープ剥がし構造を採用した段ボール箱２０の展開図であり、一対の側面板１と一対の端面板２が交互に連設され、一方の側面板１の開放側縁に糊代片７が連設され、側面板１の上縁には夫々蓋板３が連設され、下縁には夫々底板４が連設され、端面板２の上縁には夫々蓋フラップ５が連設され、下縁には夫々底フラップ６が連設されている。
【００１４】
一方の前記端面板２の中央上端部よりやや側面板１側寄りを切り込むことにより、引板８が設けられ、その基端には折目Aが設けられ、折目A端を基点に引板８を分割するように斜折目Bが設けられ、その分割された部分を補助板９とする。さらに、引板８の上縁に連設する蓋フラップ５に解除板１０が設けられ、その基端には折目Cが設けられ、解除板１０と重なる蓋板３の側縁を切り込むことにより押板１１が設けられ、その基端には折目Dが設けられている。
【００１５】
上記のような展開図からなる段ボール箱２０は、図３に示すように、糊代片７を反対側の端面板２に貼り付け筒状にし、蓋フラップ５、底フラップ６を連設部より内側に折り曲げ、次いで蓋板３、底板４を連設部より内側に折り曲げ、対向する蓋板３と底板４の突合せした部分に粘着テープ３０を貼り付け閉止する。前記粘着テープ３０の端部は、端面板２側に折り曲げられ、端面板２の端部に貼り付いている。
【００１６】
このとき、前記補助板９は粘着テープ３０に貼着しており、引板８の上端部は粘着テープ３０から外れた位置にある。
【００１７】
上記のように閉止された段ボール箱２０を開封する方法を説明する。先ず、図４に示すように、押板１１を内側に少し押さえると折目Dに沿って内側に折れ曲がると同時に、その下側に位置する解除板１０が折目Cに沿って内側に折れ曲がることで、引板８の上端部が指で摘みやすくなる。
【００１８】
また、箱の中身がいっぱいに詰まっている場合においても、押板１１を押すことで押板１１の側縁の段目が潰れ、引板８の上端部が指で摘みやすくなるのである。
【００１９】
次いで、引板８上端部を指で摘んだ状態で折目Aに沿って外側に折り曲げて行くと、補助板９が貼着した粘着テープ３０で圧迫されるのに伴って、斜折目Bに沿って補助板９が折れ曲がり、貼着した粘着テープ３０から剥がれる。
【００２０】
さらに、折目Aに沿って引板８を外側に折り曲げて行くと、補助板９が粘着テープ３０の側縁と干渉しながら、図５に示すように、粘着テープ３０の側縁が斜折目Bに応じて少しずつ捲れる。
【００２１】
このように粘着テープ３０の側縁が捲れると粘着テープ３０の端部が持ちやすくなり段ボール箱２０より剥がしやすくなる。
【図面の簡単な説明】
【００２２】
【図１】本発明の構造を採用した段ボール箱２０の展開図である。
【図２】本発明の段ボール箱の粘着テープ剥がし構造の拡大展開図である。
【図３】段ボール箱２０を閉止した状態の斜視構成図である。
【図４】開封の段階を示す斜視構成図である。
【図５】粘着テープ３０の端部が持ちやすくなった状態を示す斜視構成図である。
【図６】従来の段ボール箱（０２０１型）の斜視構成図である。
【符号の説明】
【００２３】
１  側面板
２  端面板
３  蓋板
４  底板
５  蓋フラップ
６  底フラップ
７  糊代片
８  引板
９  補助板
１０  解除板
１１  押板
２０  段ボール箱
３０  粘着テープ
A、C、D  折目
B  斜折目
【図１】
2006290360.tif 000003
【図２】
2006290360.tif 000004
【図３】
2006290360.tif 000005
【図４】
2006290360.tif 000006
【図５】
2006290360.tif 000007
【図６】
2006290360.tif 000008